(57)【特許請求の範囲】
【請求項１】
光ディスクへの情報の記録時、記録時間に関する記録カウンタ情報を表示部に表示する記録制御手段を有する情報記録装置において、
前記光ディスクの記録可能残量時間を計算する計算手段を備えており、
前記記録制御手段は、
前記記録カウンタ情報と記録可能残量時間とを前記表示部に数値で表示するとともに、前記記録可能残量時間の数値表示を、前記計算手段で計算している記録可能残量時間とは無関係に、前記記録カウンタ情報に同期して変化させ、かつ、一定時間が経過するたびに、前記計算手段によって計算された記録可能残量時間に基づいて、前記表示部に表示されている記録可能残量時間を補正する一方、
前記一定時間の経過時点で計算されている記録可能残量時間と表示されている記録可能残量時間との誤差を計測し、その誤差が予め設定されている第１の所定時間以下である場合には、前記一定時間の長さをそれまでの長さより長くするように変更し、前記誤差が前記第１の所定時間と予め設定されている第２の所定時間との間である場合には、前記一定時間の長さをそのまま維持し、前記誤差が前記第２の所定時間を超えている場合には、前記一定時間の長さをそれまでの長さより短くするように変更することを特徴とする情報記録装置。
【請求項２】
光ディスクへの情報の記録時、記録時間に関する記録カウンタ情報を表示部に表示する記録制御手段を有する情報記録装置において、
前記光ディスクの記録可能残量時間を計算する計算手段を備えており、
前記記録制御手段は、前記記録カウンタ情報と記録可能残量時間とを前記表示部に数値で表示するとともに、前記記録可能残量時間の数値表示を、前記計算手段で計算している記録可能残量時間とは無関係に、前記記録カウンタ情報に同期して変化させることを特徴とする情報記録装置。
【請求項３】
前記記録制御手段は、一定時間が経過するたびに、前記計算手段によって計算された記録可能残量時間に基づいて、前記表示部に表示されている記録可能残量時間を補正することを特徴とする請求項２に記載の情報記録装置。
【請求項４】
前記記録制御手段は、一定時間が経過するたびに、前記計算手段によって計算された記録可能残量時間に基づいて、前記表示部に表示されている記録可能残量時間を補正するとともに、その時点で計算されている記録可能残量時間と表示されている記録可能残量時間との誤差を計測し、その誤差に基づいて前記一定時間の長さを変更することを特徴とする請求項３に記載の情報記録装置。
【請求項５】
前記記録制御手段は、前記誤差が予め設定されている第１の所定時間以下である場合には、前記一定時間の長さをそれまでの長さより長くするように変更することを特徴とする請求項４に記載の情報記録装置。
【請求項６】
前記記録制御手段は、前記誤差が予め設定されている第２の所定時間を超えている場合には、前記一定時間の長さをそれまでの長さより短くするように変更することを特徴とする請求項４に記載の情報記録装置。
【発明の詳細な説明】
【０００１】
【発明の属する技術分野】
本発明は、光ディスクへの情報の記録時、記録時間に関する記録カウンタ情報を表示部に表示する記録制御手段を有する情報記録装置に係り、より詳細には、光ピックアップにより光ディスクに対してデータの記録を行うＣＤ−Ｒ／ＲＷ、ＤＶＤ＋Ｒ／ＲＷ、ＤＶＤ−Ｒ／ＲＷ等の追記型または書き換え型の光ディスク装置に関する。
【０００２】
【従来の技術】
従来より、記録メディアである光ディスクに記録されている記録済映像の記録時間と、残りの記録可能時間とを視覚的に定量表示する情報記録再生装置が提案されている（例えば、特許文献１参照）。
【０００３】
この情報記録再生装置は、例えば光ディスクに記録されている各映像の記録時間と光ディスクの残りの記録可能時間の全体を表示画面上の例えば左隅に一定長さのバー状態で表示し、各映像の表示長さを、各記録時間を基準にスケール化して表示している。これにより、ユーザは、そのバー表示を見ることによって、光ディスクの記録状態や記録可能残量時間をイメージとして大まかに捉えることができるようになっている。
【０００４】
【特許文献１】
特開２００２−２３８０２５号公報
【０００５】
【発明が解決しようとする課題】
上記特許文献１のものでは、光ディスクの記録状態や記録可能残量時間を大まかには把握できるが、例えば、これから記録しようとしている情報量に対して、記録可能残量時間が十分であるかどうかといった判断を行う場合、従来のようなバー表示では正確な判断が行えないといった問題があった。
【０００６】
そのため、このような場合でも正確に判断できるようにするためには、記録可能残量時間を「時・分・秒」といった数値で表示することが考えられる。
【０００７】
ところで、光ディスク装置である例えばＤＶＤ装置にビデオカメラを接続し、ＤＶＤ装置をテレビジョン受像機に接続して、ビデオカメラの撮影映像をＤＶＤ装置に記録する場合、テレビジョン受像機には、ＤＶＤ装置による記録カウンタ情報（リアルタイムカウンタ）が表示されているため、このリアルタイムカウンタと共に上記の記録可能残量時間を表示することになる。
【０００８】
この場合、記録可能残量時間Ｔは、下式（１）、（２）、（３）によって計算される。
【０００９】
Ｔ＝（未記録部分の総セクタ数）÷（１秒当たりの記録セクタ数）・・（１）
未記録部分の総セクタ数＝（記録可能な最終セクタアドレス）−（記録済みの最終セクタアドレス）・・（２）
１秒当たりの記録セクタ数＝（ビットレート／８）÷２０４８    ・・（３）
ただし、２０４８はＤＶＤ記録する場合の１セクタのバイト数である。
【００１０】
上記各式（１）〜（３）より、記録可能残量時間Ｔを１秒単位で計算し、その結果を保存しつつ表示することになる。
【００１１】
ここで、ＤＶＤ装置（レコーダ）のビデオフォーマットについて簡単に説明する。
ＤＶＤレコーダは、ＤＶＤ−ＶＩＤＥＯ規格に従って記録を行う。ＤＶＤ−ＶＩＤＥＯ規格は周知の如く階層構造となっており、ＶＯＢ（Video Object）は１または複数個のＣｅｌｌで構成され、Ｃｅｌｌも１または複数個のＶＯＢＵ（Video Object Unit）で構成される。そして、ＶＯＢＵには、その先頭にナビゲーションパック（ＮＶ−ＰＣＫ）が記録され、その後に続いて、オーディオパック（Ａ−ＰＣＫ）、ビデオパック（Ｖ−ＰＣＫ）、サブピクチャパック（ＳＰ−ＰＣＫ）が多重化されて時分割で記録される。ここで、１ＶＯＢＵの記録時間は０．５秒である。
【００１２】
この場合、ＤＶＤ記録では、可変ビットレートで記録を行うため、上記ＶＯＢＵのサイズがそのときどきに応じて可変することになる。そのため、上記計算式（１）〜（３）によって逐次計算しながらテレビジョン受像機に表示される記録可能残量時間のカウント値と、リアルタイムカウンタのカウント値とがばらばらに動作することになる。つまり、リアルタイムカウンタのカウントアップの処理と記録可能残量時間のカウントダウンの処理とがばらばらに行われることになる。このことは、モニタ画面を見ながら記録を行うユーザにとっては、一方のカウントアップと他方のカウントダウンとがばらばらに表示されるため、非常に違和感のある表示となるといった問題が発生する。
【００１３】
本発明はかかる問題点を解決すべく創案されたもので、その目的は、モニタ画面に表示するリアルタイムカウンタと記録可能残量時間の同期をとることで、ユーザにとって違和感の無いカウンタ情報の表示形態を提供することのできる情報記録装置を提供することにある。
【００１４】
【課題を解決するための手段】
本発明の情報記録装置は、光ディスクへの情報の記録時、記録時間に関する記録カウンタ情報を表示部に表示する記録制御手段を有する情報記録装置において、前記光ディスクの記録可能残量時間を計算する計算手段を備えており、前記記録制御手段は、前記記録カウンタ情報と記録可能残量時間とを前記表示部に数値で表示するとともに、前記記録可能残量時間の数値表示を、前記計算手段で計算している記録可能残量時間とは無関係に、前記記録カウンタ情報に同期して変化させることを特徴とする。このように、記録可能残量時間を記録カウンタ情報に同期させて変化させることで、これを見ているユーザにとっては、モニタ画面に表示された２種類のカウンタ情報が同時にカウントアップ及びカウントダウンされるため、違和感を感じることがない。
【００１５】
この場合、前記記録制御手段は、一定時間が経過するたびに、前記計算手段によって計算された記録可能残量時間に基づいて、前記表示部に表示されている記録可能残量時間を補正するようにしてもよい。すなわち、記録可能残量時間は、計算手段による計算結果とは無関係に表示されているため、一定時間が経過した時点では、計算結果による実際の記録可能残量時間と、モニタ画面に表示されている計算結果とは無関係の記録可能残量時間との間に誤差が生じることになる。そのため、この誤差が大きくなる前に、記録可能残量時間を修正することで、モニタ画面に表示されている記録可能残量時間は、常に、実際に計算された記録可能残量時間に近い値を示すことになる。これにより、表示されている記録可能残量時間の信頼性（精度）を保つことができる。また、誤差があまり大きくならない程度の例えば５分等の一定時間ごとに補正を行うことで、画面上に表示されている記録可能残量時間が突然大幅に変更されるといった不具合を解消することができる。
【００１６】
また、前記記録制御手段は、一定時間が経過するたびに、前記計算手段によって計算された記録可能残量時間に基づいて、前記表示部に表示されている記録可能残量時間を補正するとともに、その時点で計算されている記録可能残量時間と表示されている記録可能残量時間との誤差を計測し、その誤差に基づいて前記一定時間の長さを変更するようにしてもよい。
【００１７】
例えば、一定時間を５分とし、５分経過したときの誤差が例えば第１の所定時間である１秒以内であるときには、誤差が小さいと判断できるので、この場合には、一定時間を例えば１０分に変更して、次の補正までの時間を長くする。このように次の一定時間を長くしても、１０分経過後の誤差が極端に大きくなることはないので、その時点でモニタ画面に表示されている記録可能残量時間を計算手段による計算結果の記録可能残量時間に修正しても、モニタ画面上に表示されている記録可能残量時間が突然大幅に変更されるといった不具合は発生しない。
【００１８】
また、５分経過したときの誤差が例えば第２の所定時間である２秒を超えている場合には、誤差が大きいと判断できるので、この場合には、一定時間を例えば４分に変更して、次の補正までの時間を短くする。このように次の一定時間を短くすることにより、４分経過後の誤差が小さくなるので、その時点でモニタ画面に表示されている記録可能残量時間を計算手段による計算結果の記録可能残量時間に修正しても、モニタ画面上に表示されている記録可能残量時間が突然大幅に変更されるといった不具合は発生しない。
【００１９】
なお、５分経過したときの誤差が例えば第１の所定時間である１秒と第２の所定時間である２秒の間であった場合には、誤差としては小さくも大きくもないので、この場合には次の一定時間を変更することなく、同じ５分とする。
【００２０】
【発明の実施の形態】
以下、本発明の実施の形態について、図面を参照して説明する。
図１は、本発明の情報記録装置であるＤＶＤ装置のシステム構成を示している。
【００２１】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２２】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルビデオカメラ３１等の外部機器を接続可能な外部入力端子１６が接続されている。さらに、デジタル信号処理回路７には、図示は省略しているが、チューナ回路を介してアンテナ端子なども接続されている。
【００２３】
システムコントローラ１０には、光ディスク１のパラメータやレーザパワーのパラメータ等の固有情報を記憶しておくためのＥＥＰＲＯＭ１１が双方向に接続されるとともに、装置本体前面に設けられたＬＣＤ等からなる表示パネル１３が接続されている。また、システムコントローラ１０には、外部入力端子１６から入力される映像情報を光ディスク１に記録する際に記録時間をカウントする第１カウンタ１５、及び後述する一定時間を計測（カウント）する第２カウンタ１７がそれぞれ接続されているとともに、リモコン１８からの赤外線信号を受信する受信部１４が接続されている。
【００２４】
デジタル信号処理回路７は、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、外部入力端子１６から入力された映像情報等のデジタルデータを、光ディスク１（ただし、ハードディスク（ＨＤ）を内蔵している場合にはハードディスク等を含む）に書き込むためのデータ圧縮等の処理を行う。
【００２５】
システムコントローラ１０は、記録モード時、光ディスク１の記録可能残量時間を計算する計算機能を備えている。この計算機能は、上記従来の技術で説明した（１）〜（３）式による計算機能である。
【００２６】
また、システムコントローラ１０は、記録モード時、記録カウンタ情報と記録可能残量時間とを表示部２１に数値で表示するとともに、記録可能残量時間の数値表示を、計算機能で計算している記録可能残量時間とは無関係に、記録カウンタ情報に同期して変化させる処理を実行する。また、システムコントローラ１０は、記録モード時、一定時間が経過するたびに、計算機能によって計算された記録可能残量時間に基づいて、表示装置２１に表示している記録可能残量時間を補正する処理を実行する。さらに、システムコントローラ１０は、一定時間が経過するたびに、その時点で計算されている記録可能残量時間と表示されている記録可能残量時間との誤差を計測し、その誤差に基づいて一定時間の長さを変更する処理を実行するようになっている。
【００２７】
次に、上記構成の情報記録装置におけるリアルタイムカウンタ及び記録可能残量表示時間の表示処理の実施例について、図２及び図３に示す各実施例のフローチャート、及び図４に示す表示装置２１のモニタ画面の表示例を参照して説明する。ただし、以下の実施例では、光ディスク１への記録情報を、外部入力端子１６に接された外部機器であるデジタルビデオカメラ３１から取得する場合について説明する。
【００２８】
＜実施例１＞
外部入力端子１６に外部機器であるデジタルビデオカメラ（以下、「ＤＶ側」という）３１を接続し、ＤＶ側３１を動作状態とするとともに、装置本体側を記録状態とする。これにより、システムコントローラ１０は、ＤＶ側３１から映像情報を取得する。
【００２９】
また、システムコントローラ１０は、光ディスク１のリードインエリアに記録されているディスク情報を読み込み、このディスク情報から記録済みの最終セクタアドレスを取り込む（ステップＳ１）。次に、未記録部分の総セクタ数を上記式（２）より算出し（ステップＳ２）、この未記録部分の総セクタ総と上記式（３）より算出した１秒当たりの記録セクタ数とに基づき、上記式（１）に基づいて記録可能残量時間Ｔを算出する（ステップＳ３）。
【００３０】
この後、システムコントローラ１０は、装置本体側であるＤＶＤ装置が記録モードに設定されているか否かを確認し（ステップＳ４）、記録モードである場合（ステップＳ４でＹｅｓと判断された場合）には、第２カウンタ１７による一定時間ｔ０の計測を開始するとともに（ステップＳ５）、第１カウンタ１５による記録時間のカウント処理を開始し、第１カウンタ１５による記録カウンタ情報（リアルタイムカウンタ）と、計算により求めた記録可能残量時間Ｔとを表示装置２１のモニタ画面に表示する（ステップＳ６）。ここで、ステップＳ５の第２カウンタ１７による一定時間ｔ０の計測は、本実施例１ではＶＯＢＵのデータ取り込み数をカウントすることによって行っている。
【００３１】
図４は、モニタ画面に最初に表示された記録カウンタ情報（装置本体側のリアルタイムカウンタ）２１１と、計算により求めた最初の記録可能残量時間２１２とを示している。リアルタイムカウンタ２１１及び記録可能残量時間２１２共に、「時：分：秒」の表示となっている。この例では、リアルタイムカウンタが「００：００：００」、記録可能残量時間が「００：５９：００」となっている。
【００３２】
このとき、システムコントローラ１０では、記録のためにＤＶ側３１から２ＶＯＢＵのデータを取り込むたびに、第１カウンタ１５のカウント値を１増やす処理を実行する（ステップＳ７を経てステップＳ８，ステップＳ９へ）。これにより、モニタ画面のリアルタイムカウンタ２１１の記録時間の表示が１秒増えることになる。例えば「００：００：００」から「００：００：０１」にカウントアップされる。
【００３３】
またこのとき、システムコントローラ１０は、モニタ画面に表示されている記録可能残量時間２１２を、リアルタイムカウンタ２１１に同期させて１秒減らす処理を実行する（ステップＳ１０）。すなわち、記録可能残量時間については、システムコントローラ１０の計算機能により上記式（１）〜（３）を用いて逐次計算している記録可能残量時間をそのまま表示するのではなく、記録開始時に最初に計算した記録可能残量時間に基づいて、モニタ画面上でリアルタイムカウンタ２１１に同期させて単純に１秒ずつ減じる処理を行っている。これにより、ニモタ画面上では、２つのカウンタ情報２１１，２１２が同期してカウントアップ及びカウントダウンされていくため、これを見ているユーザにとっては、違和感の無い、非常に見やすいカウンタ情報となる。
【００３４】
システムコントローラ１０では、このようにＤＶ側３１から２ＶＯＢＵ（＝１秒分）のデータを取り込むたびに、２つのカウンタ情報２１１，２１２を同期してカウントアップ及びカウントダウンさせる処理（ステップＳ６〜ステップＳ１０の処理）を、一定時間ｔ０（本実施例１では５分＝６００ＶＯＢＵのデータ取り込み）が経過するまで（ステップＳ１１でＹｅｓと判断されるまで）実行する。
【００３５】
そして、第１カウンタ１７によって一定時間ｔ０である５分が計測されると（すなわち、ＶＯＢＵのデータ取り込み数が６００になると）、システムコントローラ１０は、その時点で、計算機能によって計算している記録可能残量時間に基づいて、モニタ画面に表示されている記録可能残量時間を補正する（ステップＳ１２）。すなわち、記録可能残量時間は、計算機能による計算結果とは無関係に表示されているため、一定時間ｔ０である５分が経過した時点では、計算結果による実際の記録可能残量時間と、モニタ画面に表示されている計算結果とは無関係の記録可能残量時間との間に誤差が生じることになる。そのため、この誤差が大きくなる前に、記録可能残量時間を修正することで、モニタ画面に表示されている記録可能残量時間は、常に、実際に計算された記録可能残量時間に近い値を示すことになる。これにより、表示されている記録可能残量時間の信頼性（精度）を保つことができる。
【００３６】
このようにして記録可能残量時間を補正後は、第２カウンタ１７を一旦リセットし（ステップＳ１３）、ステップＳ５に戻って再び一定時間ｔ０の計測を開始させた後、次の一定時間ｔ０が経過するまで、ステップＳ６〜ステップＳ１１の処理を繰り返す。
【００３７】
なお、このような処理の過程において、記録動作が停止された場合（ステップＳ７でＹｅｓと判断された場合）には、第２カウンタ１７をリセットして計測を停止するとともに、計算機能も停止して、リアルタイムカウンタ及び記録可能残量表示時間の表示処理を終了する。
【００３８】
＜実施例２＞
上記実施例１では、一定時間ｔ０を５分（＝６００ＶＯＢＵのデータ取り込み）に固定して記録可能残量時間の補正を行っていたが、本実施例２では、この一定時間ｔ０を、計算機能によって計算されている記録可能残量時間と、モニタ画面に表示されている記録可能残量時間との誤差に基づいて可変するようにしたものである。
【００３９】
従って、本実施例２では、図２に示す処理フローにおいて、ステップＳ１２での処理が上記実施例１と異なり、その他の処理（ステップＳ１〜ステップＳ１１）については上記実施例１と同じであるので、ここでは処理の異なるステップＳ１２での処理についてのみ、図３に示すフローチャートを参照して説明する。
【００４０】
すなわち、ステップＳ１１において一定時間ｔ０（この場合は５分＝６００ＶＯＢＵのデータ取り込み）が経過すると、システムコントローラ１０では、計算機能によって計算している記録可能残量時間に基づいて、モニタ画面に表示されている記録可能残量時間を補正するとともに（ステップＳ１２−１）、計算機能によって計算されている記録可能残量時間ｔ１と、モニタ画面に表示されている記録可能残量時間ｔ２との誤差Δｔを計測する（ステップＳ１２−２）。そして、この誤差Δｔと、予め設定されている第１の所定時間（閾値）である例えば１秒及び第２の所定時間（閾値）である例えば２秒とを比較する（ステップＳ１２−３，ステップＳ１２−４）。その結果、誤差Δｔが第１の所定時間（１秒）以内であるとき（ステップＳ１２−３でＹｅｓと判断されたとき）には、誤差Δｔが小さいと判断できるので、この場合には、一定時間ｔ０を例えば１０分（＝１２００ＶＯＢＵのデータ取り込み）に変更して、次の補正までの時間を長くしてから（ステップＳ１２−５）、ステップＳ５に戻る。このように、次の一定時間ｔ０を長くしても、１０分経過後の誤差が極端に大きくなることはないので、その時点でモニタ画面に表示されている記録可能残量時間を計算機能による計算結果の記録可能残量時間に修正しても、モニタ画面上に表示されている記録可能残量時間が突然大幅に変更されるといった不具合は発生しない。
【００４１】
一方、Δｔ誤差が第２の所定時間である２秒を超えている場合（ステップＳ１２−２でＮｏ、ステップＳ１２−４でＮｏと判断された場合）には、誤差が大きいと判断できるので、この場合には、一定時間ｔ０を例えば４分（＝４８０ＶＯＢＵのデータ取り込み）に変更して、次の補正までの時間を短くしてから（ステップＳ１２−６）、ステップＳ５に戻る。このように、次の一定時間ｔ０を短くすることにより、４分経過後の誤差が小さくなるので、その時点でモニタ画面に表示されている記録可能残量時間を計算機能による計算結果の記録可能残量時間に修正しても、モニタ画面上に表示されている記録可能残量時間が突然大幅に変更されるといった不具合は発生しない。
【００４２】
なお、誤差Δｔが第１の所定時間である１秒と第２の所定時間である２秒の間であった場合（ステップＳ１２−３でＮｏ、ステップＳ１２−４でＹｅｓと判断された場合）には、誤差としては小さくも大きくもないので、この場合には次の一定時間を変更することなく、同じ５分（＝６００ＶＯＢＵのデータ取り込み）として（ステップＳ１２−７）、ステップＳ５に戻る。
【００４３】
【発明の効果】
本発明によれば、表示部に表示されている記録可能残量時間を記録カウンタ情報（リアルタイムカウンタ）に同期させて変化させることで、これを見ているユーザにとっては、モニタ画面に表示された２種類のカウンタ情報が同時にカウントアップ及びカウントダウンされるため、非常に見栄えがよく、ユーザにとっても違和感の無い表示とすることができる。
【００４４】
また、本発明によれば、一定時間が経過するたびに、計算手段によって計算された記録可能残量時間に基づいて、表示部に表示されている記録可能残量時間を補正するように構成している。すなわち、誤差が大きくなる前に、記録可能残量時間を修正することで、モニタ画面に表示されている記録可能残量時間は、常に、実際に計算された記録可能残量時間に近い値を示すことになる。これにより、表示されている記録可能残量時間の信頼性（精度）を保つことができる。また、誤差があまり大きくならない程度の例えば５分等の一定時間ごとに補正を行うことで、画面上に表示されている記録可能残量時間が突然大幅に変更されるといった不具合を解消することができる。
【００４５】
さらに、本発明によれば、一定時間が経過するたびに、その時点で計算されている記録可能残量時間と表示されている記録可能残量時間との誤差を計測し、その誤差に基づいて次の一定時間の長さを変更するように構成している。すなわち、一定時間を経過したときの誤差が小さい場合には、一定時間をそれまでの５分から例えば１０分に変更して、次の補正までの時間を長くすることで、記録制御手段の負荷を軽減することができる。また、このように次の一定時間を長くしても、１０分経過後の誤差が極端に大きくなることはないので、その時点でモニタ画面に表示されている記録可能残量時間を計算手段による計算結果の記録可能残量時間に修正しても、モニタ画面上に表示されている記録可能残量時間が突然大幅に変更されるといった不具合は発生しない。一方、一定時間を経過したときの誤差が大きい場合には、一定時間をそれまでの５分から例えば４分に変更して、次の補正までの時間を短くすることで、４分後にモニタ画面に表示されている記録可能残量時間を計算手段による計算結果の記録可能残量時間に修正しても、モニタ画面上に表示されている記録可能残量時間が突然大幅に変更されるといった不具合は発生しない。
【図面の簡単な説明】
【図１】本発明に係わるＤＶＤ装置のシステム構成図である。
【図２】本発明に係わるＤＶＤ装置におけるリアルタイムカウンタ及び記録可能残量表示時間の実施例１の表示処理を示すフローチャートである。
【図３】本発明に係わるＤＶＤ装置におけるリアルタイムカウンタ及び記録可能残量表示時間の実施例２の表示処理を示すフローチャートである。
【図４】表示装置のモニタ画面のリアルタイムカウンタ及び記録可能残量表示時間の表示例を示す説明図である。
【符号の説明】
１  光ディスク
２  スピンドルモータ
３  光ピックアップ
４  フィードモータ
５  ＲＦアンプ
６  ＤＲＡＭ
７  デジタル信号処理回路
８  レーザドライバ
９  サーボ処理回路
１０  システムコントローラ
１１  ＥＥＰＲＯＭ
１２  Ｄ／Ａ変換回路
１３  表示パネル
１４  受信部
１５  第１カウンタ
１６  外部入力端子
１７  第２カウンタ
１８  リモコン
３１  デジタルビデオカメラ（外部機器）
【図１】
0003729413.tif 000002
【図２】
0003729413.tif 000003
【図３】
0003729413.tif 000004
【図４】
0003729413.tif 000005